(57)【特許請求の範囲】
【請求項１】
加熱すると消色する消色可能色材による画像を消色するための第１、第２加熱部であって、シートの一面に接触して前記一面を加熱する第１加熱部、シートの他面に接触して前記他面を加熱する第２加熱部と、
前記第１、第２加熱部を加熱する第１、第２熱源部と、
第１モードおよび第２モードを有し、
前記第１モードでは、前記第１、第２加熱部を前記第１、第２熱源部により消色可能温度以上に予熱した後、前記第１、第２加熱部を前記第１、第２熱源部により加熱しながらシートの両面を前記第１、第２加熱部により消色処理し、
前記第２モードでは、前記第１、第２加熱部を前記第１、第２熱源部により消色可能温度以上に予熱した後、非消色対象面側の加熱部に対応する熱源部の出力を該加熱部を消色可能温度に維持する出力よりも低下させるとともに、消色対象面側の加熱部を該加熱部に対応する熱源部によって加熱しながら該加熱部によりシートの消色対象面を消色処理する制御部と、
を備える消色装置。
【請求項２】
請求項１に記載の装置において、
前記第１、第２加熱部の温度を検知する第１、第２温度検知部を備え、
前記制御部は、前記第２モードでは、消色処理前において非消色対象面側の熱源部が所定の温度以下である場合、前記第１、第２加熱部を前記第１、第２熱源部により消色可能温度以上に予熱し、非消色対象面側の熱源部が所定の温度より高い場合、消色対象面側の加熱部を該加熱部に対応する熱源部により消色可能温度以上に予熱する消色装置。
【請求項３】
請求項１に記載の装置において、
前記制御部は、前記第２モードでは、前記第１、第２加熱部を前記第１、第２熱源部により所定時間加熱することにより消色可能温度まで予熱した後、非消色対象面側の加熱部に対応する熱源部の出力を低下させる消色装置。
【請求項４】
請求項１から請求項３のいずれかに記載の装置において、
前記制御部は、前記第２モードでは、非消色対象面側の熱源部の出力を低下させて消色処理し、シートの処理枚数が所定の枚数に達すると、非消色対象面側の熱源部の出力を増大させ、非消色対象面側の加熱部を消色可能温度まで加熱する消色装置。
【請求項５】
請求項１から請求項４のいずれかに記載の装置において、
前記制御部は、前記第１、第２熱源部に交互に出力し、前記第２モードでは、非消色対象面側の熱源部の出力時間を、消色対象面側の熱源部の出力時間よりも短くすることにより、該熱源部の出力を低下させる消色装置。  
【発明の詳細な説明】
【技術分野】
【０００１】
この明細書に記載の実施形態は、消色装置の熱源部の制御技術に関する。
【背景技術】
【０００２】
近年、加熱すると消色する消色可能色材によりシートに画像を形成することが行われる。消色可能色材により画像が形成されたシートは、消色装置によってシートを加熱して画像を消色することによりリユース可能となる。（消色装置として例えば特許文献１）。
【先行技術文献】
【特許文献】
【０００３】
【特許文献１】特開２０１２−２５２３１４号公報
【発明の概要】
【発明が解決しようとする課題】
【０００４】
消色装置は、シートの表面及び裏面にそれぞれ接触して各面を加熱する第１、第２加熱部、および第１、第２加熱部を加熱する第１、第２熱源部を備える。ここで、消色装置のモードにおいて、両面消色モード、片面消色モードを設定することを考える。この場合、両面消色モード時には、第１、第２熱源部により第１、第２加熱部を共に消色可能温度まで予熱した後、第１、第２加熱部によりシートの両面を消色することが考えられる。なお、消色処理中には第１、第２熱源部により第１、第２加熱部を加熱する。
【０００５】
一方、片面消色モード時には、シートの消色対象面に対応する加熱部のみを該加熱部に対応する熱源部により消色可能温度まで予熱した後、該加熱部によりシートの消色対象面を消色することが考えられる。なお、消色処理中には、消色対象面に対応する加熱部を該加熱部に対応する熱源部により加熱する。このようにすれば、片面消色モード時は熱源部に出力しないので、その分省電力化を図ることができる。
【０００６】
ところで、消色装置では、省電力化に加え、消色残りなく安定して処理できること、および処理時間をできる限り短くすることが要求される。
【０００７】
この明細書は、消色装置において、省電力化を図ることができるとともに、消色残りなく安定して処理できることができ、かつ処理時間を短くできる熱源部の制御技術を提供することを目的とする。
【課題を解決するための手段】
【０００８】
一般に、実施形態によれば、消色装置は、第１、第２加熱部と、第１、第２熱源部と、
制御部と、を備える。第１、第２加熱部は、加熱すると消色する消色可能色材による画像を消色するための第１、第２加熱部であって、シートの一面に接触して一面を加熱する第１加熱部、シートの他面に接触して他面を加熱する。第１、第２熱源部は、第１、第２加熱部を加熱する。制御部は、第１モードおよび第２モードを有し、第１モードでは、第１、第２加熱部を第１、第２熱源部により消色可能温度以上に予熱した後、第１、第２加熱部を第１、第２熱源部により加熱しながらシートの両面を第１、第２加熱部により消色処理し、第２モードでは、第１、第２加熱部を第１、第２熱源部により消色可能温度以上に予熱した後、非消色対象面側の加熱部に対応する熱源部の出力を該加熱部を消色可能温度に維持する出力よりも低下させるとともに、消色対象面側の加熱部を該加熱部に対応する熱源部によって加熱しながら該加熱部によりシートの消色対象面を消色処理する。
【図面の簡単な説明】
【０００９】
【図１】消色装置の全体構成図である。
【図２】消色装置のハードウェア構成を示すブロック図である。
【図３】消色部の構成を説明するための図である。
【図４】制御部による消色ジョブ実行時の処理制御を示すフローチャートである。
【図５】消色ジョブ実行時の第１、第２熱源部の制御を示すフローチャートである。
【発明を実施するための形態】
【００１０】
以下、実施形態について図面を参照しつつ説明する。
図１は、消色装置１の全体構成図である。
消色装置１は、消色可能トナーや消色可能インク等の消色可能色材により画像が形成されたシートに対して、画像の色を消す消色処理を施す。消色可能色材は、呈色性化合物、顕色剤、消色剤を含む。呈色性化合物は、例えば青に発色するロイコ染料が挙げられる。顕色剤は、例えばフェノール類が挙げられる。消色剤は、加熱されると呈色性化合物と相溶し、顕色剤と親和性を有さない物質が挙げられる。消色可能色材は、呈色性化合物と顕色剤との相互作用により発色し、消色温度以上の加熱により呈色性化合物と顕色剤との相互作用が絶たれて消色する。
【００１１】
消色装置１は、給紙トレイ１１、給紙部１２、第１〜第３搬送路１３１〜１３３、読取部１４、消色部１５、シート検知センサ１６１、フラッパ１７１，１７２、搬送ローラ１８、リユーストレイ１９、リジェクトトレイ２０、表示部９１、操作入力部９２、制御部９３（図２）を備える。
【００１２】
給紙トレイ１１は、消色可能色材により画像が形成されたシートを積載する。シートは、Ａ４，Ａ３，Ｂ５等の様々なサイズであってよい。給紙トレイ１１には、シートの片面のみに消色可能色材による画像が形成されている場合、該面を上にしてシートが収容されるものとする。
給紙部１２は、ピックアップローラ、供給ローラ、分離ローラを有し、給紙トレイ１１が積載するシートを１枚ずつ第１搬送路１３１に給紙する。
【００１３】
読取部１４は、第１搬送路１３１に沿って配置される。読取部１４は、ＣＣＤ(Charge Coupled Device)を備え、消色前のシート両面（第１面、第２面）の画像および消色部１５による消色後のシート両面の画像を読み取る。読取部１４は、読み取った画像データを後述するＨＤＤ９３４（図２）に出力する。これにより、ユーザは、ＨＤＤ９３４から消色前のシートの画像データを取得できる。
【００１４】
第２搬送路１３２は、第１搬送路１３１の下流にある分岐点１３４にて第１搬送路１３１から分岐する搬送路であり、第１搬送路１３１における読取部１４よりシート搬送方向上流（以下、単に上流と記載。シート搬送方向下流も単に下流と記載する）の合流点１３５で第１搬送路１３１に合流する。分岐点１３４からは、第３搬送路１３３も分岐する。
【００１５】
消色部１５は、第２搬送路１３２に沿って配置される。シート搬送方向における読取部１４と消色部１５との間、および消色部１５と読取部１４との間は共に、処理対象とする最大のシート長より大きい。
消色部１５は、シートの両面を加熱することにより、シートの両面上の画像を消色可能である。消色部１５の構成については後述する。
【００１６】
シート検知センサ１６１は、第１〜第３搬送路１３１〜１３３の適宜の場所に配置され、第１〜第３搬送路１３１〜１３３中のシートを検知する。
フラッパ１７１，１７２は、分岐点１３４および第３搬送路１３３の分岐点１３６にあり、シートの搬送先を切り替える。
搬送ローラ１８は、第１〜第３搬送路１３１〜１３３の適宜の場所に配置され、シートを搬送する。
【００１７】
第３搬送路１３３の分岐点１３６からは、第１分岐路１３７と第２分岐路１３８が分岐する。
制御部９３は、シート上の画像を消色後、シートを読取部１４により再度読み取る。制御部９３は、消色後のシートの画像データに基づき、シートが再利用可能か否かを判定し、再利用可能なシートを第１分岐路１３７からリユーストレイ１９に排出する。制御部９３は、シートに消色残りが有り再利用不可と判定する場合、シートを第１分岐路１３７から第２分岐路１３８にスイッチバック搬送し第２分岐路１３８からリジェクトトレイ２０に排出する。
【００１８】
リユーストレイ１９は、第１分岐路１３７が排出するリユース可能なシートを積載する。
リジェクトトレイ２０は、第２分岐路１３８が排出するリユース不可なシートを積載する。
【００１９】
表示部９１は、タッチパネル等であり、消色装置１の設定情報や動作ステータス、ログ情報、ユーザへの通知を表示する。
操作入力部９２は、ボタンやキーを備え、ユーザの操作入力を受け付けることにより消色ジョブの実行開始等、消色装置１の機能動作の指示を受け付ける。
【００２０】
図２は、消色装置１のハードウェア構成を示すブロック図である。
制御部９３は、プロセッサ９３１、ＡＳＩＣ９３２(Application Specific Integrated Circuit)、メモリ９３３（記憶部）、およびＨＤＤ９３４(Hard Disk Drive、記憶部)を備え、消色装置１全体を制御する。プロセッサ９３１は、メモリ９３３やＨＤＤ９３４が格納するプログラムを実行することにより各種の機能を実現する。
【００２１】
メモリ９３３は、半導体メモリであり、各種の制御プログラムを格納するＲＯＭ(Read Only Memory)と、プロセッサ９３１に一時的な作業領域を提供するＲＡＭ(Random Access Memory)とを備える。ＲＯＭは、消色部１５の第１、第２熱源部２５，２６の制御に用いる各種の閾値等を記憶する。ＡＳＩＣ９３２は、特定の機能を実現するための専用の回路であり、プロセッサ９３１が実現する適宜の機能を担ってよい。
【００２２】
図３は、消色部１５の構成を説明するための図である。
消色部１５は、第１、第２ヒートローラ２１，２２、第１、第２プレスローラ２３，２４、第１、第２熱源部２５，２６、第１、第２温度検知部２７，２８を備える。
【００２３】
第１、第２ヒートローラ２１，２２は、３層構造であり、アルミニウム等からなる円筒状の芯金、芯金の外表面上にあるシリコンゴム等の弾性層、弾性層上にあるＰＦＡ(Perfluoroalkoxy polymer resin)等の離型層を備える。第１、第２ヒートローラ２１，２２は、制御部９３による制御の下、モータを介して回転駆動可能である。
【００２４】
第１ヒートローラ２１は、シートの第１面（給紙トレイ１１において上側に来る面）を加熱し、シートの第１面上の画像を消色する。シートの第１面は、シートの片面のみ消色する場合、消色対象面となる面である。第１ヒートローラ２１は、片面消色および両面消色の際に共に用いられる。
【００２５】
第２ヒートローラ２２は、第１ヒートローラ２１より下流側にある。第２ヒートローラ２２は、シートの第２面（給紙トレイ１１において下側に来る面）を加熱し、シートの第２面上の画像を消色する。シートの第２面は、シートを両面消色する場合、消色対象面となる面である。第２ヒートローラ２２は、両面消色の際にのみ用いられる。
なお、本実施形態では、シートを加熱する加熱部としてヒートローラ２１，２２を用いた例を説明した。しかしながら、加熱部は、例えば、ヒートローラ以外に、シートに面接触可能な面状ヒータであってもよい。
【００２６】
第１、第２プレスローラ２３，２４は、３層構造であり、芯金、芯金の外表面上にあるシリコンゴムスポンジ層、シリコンゴムスポンジ層上にあるＰＦＡ(Perfluoroalkoxy polymer resin)等の離型層を備える。第２プレスローラ２４は、第１プレスローラ２３より下流側にある。第１、第２プレスローラ２３，２４は、制御部９３による制御の下、モータを介して第１、第２ヒートローラ２１，２２とは逆回転に回転駆動可能である。第１、第２プレスローラ２３，２４は、第１、第２ヒートローラ２１，２２と対向し、第１、第２ヒートローラ２１，２２に加圧接触する。
【００２７】
第１、第２熱源部２５，２６は、第１、第２ヒートローラ２１，２２の内部にあり、第１、第２ヒートローラ２１，２２を加熱する。第２熱源部２６は、メイン熱源部２６１およびサブ熱源部２６２を備える。第１、第２熱源部２５，２６は、例えばハロゲンランプである（第２熱源部２６についてはメイン熱源部２６１およびサブ熱源部２６２がそれぞれハロゲンランプである）。上流の第１熱源部２５が２本のランプで構成されていてもよいし、上流、下流の第１、第２熱源部２５，２６が共に１本または２本のランプで構成されていてもよい。
【００２８】
第１、第２温度検知部２７，２８は、第１、第２熱源部２５，２６の温度（第１、第２熱源部２５，２６の周囲の温度）を検知する。第１、第２温度検知部２７，２８は、例えばサーミスタ等を用いた接触型のものである。
【００２９】
以下、図１および図４のフローチャートを参照して制御部９３による消色ジョブ実行時の処理制御を簡略に説明する。
制御部９３は、消色処理モードとして、シートの両面を消色処理する両面消色モード（第１モード）、およびシートの片面を消色処理する片面消色モード（第２モード）を有する。
【００３０】
制御部９３は、消色処理前に操作入力部９２により両面消色モードまたは片面消色モードの設定を受け付ける（Ａｃｔ１０）。なお、デフォルトの消色処理モードの設定は両面消色モードとなっており、片面消色モードはユーザの操作入力により設定されるようになっていてもよい。
【００３１】
制御部９３は、少なくとも一面に画像が形成されたシートを給紙トレイ１１から給紙部１２により取り出し（Ａｃｔ１１）、第１搬送路１３１に給紙する（Ａｃｔ１２）。制御部９３は、読取部１４によりシートを読み取った後（Ａｃｔ１３）、シートを第２搬送路１３２に搬送する（Ａｃｔ１４）。
【００３２】
制御部９３は、消色部１５によりシート上の画像を消色後（Ａｃｔ１５）、シートを第１搬送路１３１に搬送し（Ａｃｔ１６）、シートを再度読取部１４により読み取る（Ａｃｔ１７）。なお、制御部９３は、消色部１５の第１、第２熱源部２５，２６の制御を消色処理モードの設定によって変えて消色処理するが、詳しい内容については後述する。
【００３３】
制御部９３は、消色処理後のシートを読み取った後、消色後のシートの画像データに基づいてシートの再利用の可否を判定するとともに、シートを第３搬送路１３３に搬送する（Ａｃｔ１８）。制御部９３は、消色後のシートを再利用可能と判定する場合（Ａｃｔ１９：ＹＥＳ）、シートをリユーストレイ１９に搬送し（Ａｃｔ２０）、シートを再利用不可と判定する場合（Ａｃｔ１９：ＮＯ）、シートをリジェクトトレイ２０に搬送する（Ａｃｔ２１）。
【００３４】
図５は、消色ジョブ実行時の第１、第２熱源部２５，２６の制御を示すフローチャートである。以下、まず、両面消色モードでの制御フローを説明した後、片面消色モードでの制御フローを説明する。
【００３５】
制御部９３は、消色ジョブ実行の指示を受け付けると、両面消色モードの場合（Ａｃｔ３１：ＮＯ）、第１、第２熱源部２５，２６により第１、第２ヒートローラ２１，２２を予熱する。この際、制御部９３は、第１、第２熱源部２５，２６に対して電力供給を交互に行う（Ａｃｔ３２）。
【００３６】
制御部９３は、ＯＮ時に第１熱源部２５に電力を供給し、ＯＦＦ時に第２熱源部２６に電力を供給するスイッチング素子を備える。制御部９３は、スイッチング素子のＯＮ，ＯＦＦ時間であるデューティー比を５０％（ＯＮ時間：ＯＦＦ時間＝１：１）とするＰＷＭ(Pulse Width Modulation)制御を行うことにより、第１、第２熱源部２５，２６への供給電力の出力を等しくする。
【００３７】
制御部９３は、第１、第２熱源部２５，２６がウォーミングアップ終了温度に到達すると（Ａｃｔ３３：Ｙｅｓ、Ａｃｔ３４：ＮＯ）、シート両面上の画像に対して消色処理を行う（Ａｃｔ３５）。
【００３８】
ここで、ウォーミングアップ終了温度とは、第１、第２ヒートローラ２１，２２の予熱時に第１、第２熱源部２５，２６に電力を供給し続ける際において、第１、第２ヒートローラ２１，２２を消色可能温度以上（シートを消色処理可能な所定の温度以上）に加熱していることとなる温度のことを指す。すなわち、制御部９３は、Ａｃｔ３２、Ａｃｔ３３において、第１、第２ヒートローラ２１，２２を消色可能温度以上に予熱する。
【００３９】
また、制御部９３は、消色処理時（Ａｃｔ３５）において、第１、第２熱源部２５，２６への供給電力量の比率が９：２となるデューティー比で消色処理を行う。ここで、第２ヒートローラ２２は、第１ヒートローラ２１によって温められたシート面を消色するので、消色処理に必要な熱量が第１ヒートローラ２１に比べて少ないとともに、シート１枚の消色処理に伴う温度低下も第１ヒートローラ２１に比べて少ない。そのため、制御部９３は、第２熱源部２６への供給電力を第１熱源部２５への出力電力より少なくして消色処理を行う。
【００４０】
制御部９３は、給紙トレイ１１内のシートが無くなるまで（Ａｃｔ３６：Ｙｅｓ）、消色処理を繰り返す（Ａｃｔ３４：ＮＯ〜Ａｃｔ３６：ＹＥＳ）。
【００４１】
以下、片面消色モード時の制御フローを説明する。
制御部９３は、消色ジョブ実行の指示を受け付けると、片面消色モードの場合（Ａｃｔ３１：ＹＥＳ）、非消色対象面側の第２熱源部２６の温度を検知する（Ａｃｔ３７）。
【００４２】
制御部９３は、前回の消色ジョブの実行から間があり、第２熱源部２６の温度がウォーミングアップ終了温度より低い場合（第２ヒートローラ２２を消色可能温度以上に加熱する所定の温度より低い場合、Ａｃｔ３８：ＮＯ）、第１、第２熱源部２５，２６により第１、第２ヒートローラ２１，２２を共に予熱する。この際、制御部９３は、デューティー比を５０％にし、第１、第２熱源部２５，２６に対して等しい電力を供給する（Ａｃｔ３２）。
【００４３】
制御部９３は、第１、第２熱源部２５，２６が共にウォーミングアップ終了温度に到達すると（Ａｃｔ３３：Ｙｅｓ、Ａｃｔ３４：ＹＥＳ）、非消色対象面側の第２熱源部２６への供給電力を、第２ヒートローラ２２を消色可能温度に維持する供給電力よりも低下させる。そして、制御部９３は、その分、消色対象面側の第１熱源部２５への供給電力を増加させるようにスイッチング素子のデューティー比を調整する（Ａｃｔ４１）。
【００４４】
制御部９３は、非消色対象面側の第２熱源部２６への供給電力を落として消色処理を行う（Ａｃｔ４２：ＮＯ、Ａｃｔ３５）。具体的に、制御部９３は、第１、第２熱源部２５，２６への供給電力量の比率が１５：１となるデューティー比で消色処理を行う。このように、制御部９３は、消色処理モード（両面／片面）により消色処理時のデューティー比を変え、片面消色モード時における消色処理時の第２熱源部２６への供給電力量を、両面消色モード時における消色処理時の第２熱源部２６への供給電力量よりも小さくする。
以上のように、本実施形態は、片面消色モードでは、非消色対象面側の第２ヒートローラ２２の加熱を抑えて消色処理するので、省電力化を図ることができる。
【００４５】
ここで、第１、第２ヒートローラ２１，２２が共に低温の状態の場合に消色対象面側の第１ヒートローラ２１のみを予熱して消色処理することを考える。
この場合、第１ヒートローラ２１のみを予熱するので省電力化を図れるが、第１、第２ヒートローラ２１，２２を共に予熱する場合に比べ、第２ヒートローラ２２側（第２熱源部２６側）から第１ヒートローラ２１への加熱が無い分、第１ヒートローラ２１の予熱に時間がかかる。
【００４６】
また、第２ヒートローラ２２が低温のままであるので、消色処理の際に、シートの消色対象面は第１ヒートローラ２１に加熱されるが、非消色対象面が第２ヒートローラ２２から加熱されず低温のままとなるので、消色対象面において消色残りが生じるおそれがある。
【００４７】
ここで、複数のシートを連続して消色処理するなどして消色対象面側の第１熱源部２５の出力時間がある程度継続すると、第１熱源部２５の出力により、消色対象面側の第１ヒートローラ２１だけでなく、その周辺の部材等、消色部１５全体の温度が上昇する。
【００４８】
第１ヒートローラ２１のみを予熱して消色処理する場合、このようにして消色部１５全体の温度が上昇するまでは第１ヒートローラ２１は温度低下が早くなるため、消色処理中のヒートローラ２１，２２を消色可能温度に維持するためには、消色処理する際のシート間隔を大きく取る必要がある。従って、第１ヒートローラ２１のみを予熱して消色処理する場合、パフォーマンスが低くなるという問題がある。
【００４９】
これに対し、本実施形態は、片面消色モードでは、第１、第２ヒートローラ２１，２２を共に予熱してから消色処理する。消色処理の際には、第２ヒートローラ２２の出力を低下させる。そのため、本実施形態では上記問題を解決できる。
【００５０】
すなわち、本実施形態では、予熱時に第１、第２熱源部２５，２６を共に出力するので第１ヒートローラ２１の予熱時間を短縮できる。
本実施形態では、非消色対象面側の第２ヒートローラ２２も予熱するので、消色対象面が片面のみであっても良好に消色できる。
【００５１】
本実施形態では、非消色対象面側の第２ヒートローラ２２も予熱するので、消色部１５全体の温度が上昇しやすく、また、第２ヒートローラ２２側からの熱により、消色処理する際の第１ヒートローラ２１の温度低下を抑えることができる。そのため、本実施形態では、消色処理する際のシート間隔を短くでき、パフォーマンスを良好にできる。
【００５２】
本実施形態では、第２ヒートローラ２２が、片面消色を行う際に用いられる第１ヒートローラ２１の下流にあるので、片面消色する際には加熱されたシートに接することとなる。そのため、本実施形態は、消色処理時の第２ヒートローラ２２の温度低下を抑制できる。
【００５３】
なお、制御部９３は、両面消色ジョブ等を実行した直後で第２熱源部２６が消色開始前の時点で既にウォーミングアップ温度以上である場合（Ａｃｔ３８：ＹＥＳ）、スイッチング素子のデューティー比を調整し、第１、第２熱源部２６へ供給可能な電力を主に第１熱源部２５へ振り分け、第１ヒートローラ２１を加熱するとともに、第２ヒートローラ２２を最低限度加熱する（Ａｃｔ３９）。そして、制御部９３は、第１熱源部２５がウォーミングアップ温度以上であれば（Ａｃｔ４０：ＹＥＳ）、消色処理を行う（Ａｃｔ４２：ＮＯ、Ａｃｔ３５）。
【００５４】
このように、制御部９３は、片面消色モードでは、非消色面側の第２熱源部２６をウォーミングアップ温度以上とした状態で消色処理を開始するが、消色処理中は非消色面側の第２熱源部２６の出力を落とした状態で消色処理を行う。第２ヒートローラ２２およびその周辺部は、消色処理されたシートが第２ヒートローラ２２を通る度に温度が低下していく。従って、消色部１５が他数枚を消色処理すると、第２ヒートローラ２２やその周辺部の温度は低下しきり、ひいては消色部１５全体が温度低下しきることとなる。
【００５５】
この場合、消色処理時にシートの非消色面側が低温状態となることにより消色残りが生じやすくなる等の問題が生じる。そのため、制御部９３は、消色部１５全体が温度低下しきることとなる所定の処理枚数、消色処理を行うと（Ａｃｔ４２：ＹＥＳ）、第２熱源部２６に十分な電力を供給できるようにスイッチング素子のデューティー比を調整し、第２熱源部２６により第２ヒートローラ２２を加熱して昇温させる（Ａｃｔ４３）。
【００５６】
本実施形態では、このような制御行うことで、最適な消費電力量で正常に消色処理を施すことが可能であり、かつパフォーマンスを維持することが可能となる。
【００５７】
（変形例）
前記実施形態では、余熱を行うウォーミングアップ時（Ａｃｔ３２，Ａｃｔ３９）において第１、第２熱源部２５、２６を交互に点灯制御した。しかしながら、ウォーミングアップ時（Ａｃｔ３２，Ａｃｔ３９）には、搬送系のモータを駆動させないため、十分な電力を第１、第２熱源部２５、２６に出力できる。従って、ウォーミングアップ時（Ａｃｔ３２，Ａｃｔ３９）には、十分な熱量を出力可能とする電力を各第１、第２熱源部２５、２６に継続して供給し、第１、第２熱源部２５、２６をフル点灯させてもよい。
【００５８】
消色処理時（Ａｃｔ３５）には、シートを給紙トレイ１１から消色部１５を経て各トレイ１９，２０まで搬送する必要があり、搬送系のモータを駆動させる必要があるため、両方の第１、第２熱源部２５、２６を同時に十分な出力では点灯させることが難しい。そのため、前述のように、ウォーミングアップ時（Ａｃｔ３２，Ａｃｔ３９）に第１、第２熱源部２５、２６をフル点灯させる場合であっても、消色処理時（Ａｃｔ３５）には、前記実施形態のように、第１、第２熱源部２５、２６を交互に点灯制御する。
【００５９】
前記実施形態では、制御部９３は、片面消色モードにおける消色ジョブ実行時において、所定枚数消色処理した場合に第２熱源部２６への供給電力を増大させて第２ヒートローラ２２、ひいては消色部１５全体を昇温させた。
しかしながら、制御部９３は、第２熱源部２６の温度が所定温度以下あるいは温度低下速度が所定速度以上となった場合に、第２熱源部２６への供給電力を増大させて第２ヒートローラ２２、ひいては消色部１５全体を昇温させてもよい。
また、制御部９３は、消色処理枚数や第２熱源部９３の温度ではなく、１枚目のシートへの消色処理開始からの経過時間が所定時間経つことにより、第２熱源部２６への供給電力を増大させてもよい。
【００６０】
前記実施形態では、制御部９３は、片面消色モードにおける消色処理時に、第２熱源部２６が冷えきってしまわぬよう第２熱源部２６へ最低限の電力を供給したが、全く供給しなくてもよい。制御部９３は、Ａｃｔ３２，Ａｃｔ３９，Ａｃｔ４３において、第２熱源部２６を単に点灯、消灯するだけでもよい。
前記実施形態では、制御部９３は、片面消色モードの際に上流側のヒートローラ２１によって消色処理したが、下流側のヒートローラ２２によって消色処理してもよい。
【００６１】
前記実施形態における各処理の順序は、前記実施形態で例示した順序と異なっていてもよい。
本発明は、その精神または主要な特徴から逸脱することなく、他の様々な形で実施することができる。そのため、前述の実施の形態はあらゆる点で単なる例示に過ぎず、限定的に解釈してはならない。本発明の範囲は、特許請求の範囲によって示すものであって、明細書本文には、なんら拘束されない。さらに、特許請求の範囲の均等範囲に属する全ての変形、様々な改良、代替および改質は、すべて本発明の範囲内のものである。
【符号の説明】
【００６２】
１…消色装置、２１，２２…第１、第２ヒートローラ（第１、第２加熱部）、２５，２６…第１、第２熱源部、２７，２８…第１、第２温度検知部、９３…制御部。
【要約】
【課題】消色装置において、省電力化を図ることができるとともに、消色残りなく安定して処理できることができ、かつ処理時間を短くできる熱源部の制御技術を提供すること。
【解決部】一般に、実施形態によれば、消色装置は、第１、第２加熱部と、第１、第２熱源部と、制御部と、を備える。第１、第２加熱部は、加熱すると消色する消色可能色材による画像を消色する。第１、第２熱源部は、第１、第２加熱部を加熱する。制御部は、第２モードでは、第１、第２加熱部を第１、第２熱源部により消色可能温度以上に予熱した後、非消色対象面側の加熱部に対応する熱源部の出力を該加熱部を消色可能温度に維持する出力よりも低下させるとともに、消色対象面側の加熱部を該加熱部に対応する熱源部によって加熱しながら該加熱部によりシートの消色対象面を消色処理する。
【選択図】図５【図１】
0005571214.tif 000002
【図２】
0005571214.tif 000003
【図３】
0005571214.tif 000004
【図４】
0005571214.tif 000005
【図５】
0005571214.tif 000006